(57)【要約】【課題】上面側にコンクリートが打設されてスラブを構成するデッキプレートと、デッキプレートの下に配置される耐火間仕切り壁の上部を、両者間に空隙を形成せずに突き合わせる。【解決手段】デッキプレート１の下面側へ凸となった凸部１１と下面側へ凹となった凹部１２を耐火間仕切り壁５の全幅に亘って交互に形成し、凸部１１を水平面をなす水平片１１ａとその幅方向両側から鉛直面をなして起立する起立片１１ｂ、１１ｂから形成し、凹部１２を水平面をなす水平片１２ａとその幅方向両側から鉛直面をなして垂下し、起立片１１ｂ、１１ｂに連続する垂下片１２ｂ、１２ｂから形成する。耐火間仕切り壁５の上部を、デッキプレート１の凸部１１の水平片１１ａと起立片１１ｂ、及び凹部１２の水平片１２ａと垂下片１２ｂに沿った立面形状に形成する。【選択図】図１
2018168560.tif 000002
【特許請求の範囲】
【請求項１】
上面側にコンクリートが打設されてスラブを構成するデッキプレートと、このデッキプレートの下に配置される耐火間仕切り壁との取合い構造であり、
前記デッキプレートの下面側へ凸となった凸部と下面側へ凹となった凹部は前記耐火間仕切り壁の全幅に亘って交互に形成され、前記凸部は水平面をなす水平片とその幅方向両側から鉛直面をなして起立する起立片からなり、前記凹部は水平面をなす水平片とその幅方向両側から鉛直面をなして垂下し、前記起立片に連続する垂下片からなり、
前記耐火間仕切り壁の上部は前記デッキプレートの前記凸部の前記水平片と前記起立片、及び前記凹部の前記水平片と前記垂下片に沿った立面形状をしていることを特徴とするデッキプレートと耐火間仕切り壁の取合い構造。
【請求項２】
前記耐火間仕切り壁の上部にはその幅方向に、前記デッキプレート側へ凸となった凸部と凹となった凹部が交互に形成され、前記凸部の上面と前記凹部の上面はそれぞれ前記デッキプレートの前記凹部の水平片と前記凸部の水平片に下面側から接触し、前記凸部の上面の幅方向両側の側面と前記凹部の上面の幅方向両側の側面は前記デッキプレートの前記起立片と前記垂下片に側面側から接触していることを特徴とする請求項１に記載のデッキプレートと耐火間仕切り壁の取合い構造。
【請求項３】
前記デッキプレートの前記凸部の前記水平片及び前記起立片の前記耐火間仕切り壁側の面と、前記凹部の前記水平片及び前記垂下片の前記耐火間仕切り壁側の面は平坦面であることを特徴とする請求項１、もしくは請求項２に記載のデッキプレートと耐火間仕切り壁の取合い構造。
【発明の詳細な説明】
【技術分野】
【０００１】
本発明は上面側にコンクリートが打設されてスラブを構成するデッキプレートと、デッキプレートの下に配置される耐火間仕切り壁の上部を、両者間に空隙を形成せずに突き合わせるデッキプレートと耐火間仕切り壁の取合い構造に関するものである。
【背景技術】
【０００２】
鉄筋コンクリート造のスラブを構築する際、コンクリートスラブの捨て型枠として図２に示すような、型枠本体の下面側に打設後の水排出用の中空のリブが付いたフラットデッキが使用されることが多い。この例ではリブ内にはコンクリートが充填されないため、スラブの下に耐火性能を有する間仕切り壁（耐火間仕切り壁）を配置する場合には、リブを切断して除去する必要がある。リブ内が中空のままでは間仕切り壁が耐火構造とは見なされないことによる。
【０００３】
この方法では切断作業自体に切断用の器具と作業数を要するため、コストが上昇する上、リブの切断時に火花が散り、火災の危険性があることから、切断作業には厳重な管理が求められる他、リブの切断面が滑らかにならないために、耐火間仕切り壁との取合いに手間が掛かる等、不利な点がある。
【０００４】
捨て型枠として、リブ付きでない形態のデッキプレートを使用すれば、リブの切断の必要性がないため、フラットデッキを使用する場合の問題に直面することはない。しかしながら、デッキプレートを使用する場合、デッキプレートの断面形状の関係で、下面側に凸となる凸部の下面に合わせて間仕切り壁の上端の高さが決められるため、下面側に凹となる凹部には耐火性のある充填材を別途、充填する必要が生じる（特許文献１、２参照）。
【０００５】
特許文献１、２ではデッキプレートと間仕切り壁上端との間に形成される空隙が充填材で完全に閉塞されることで、火災発生時以外の平常時に空隙を通じた換気が図られないことから、平常時に空隙における換気の機能を持たせるために、平常時に板状をし、火災発生時に加熱で膨張する形態の充填材を充填する方法もある（特許文献３参照）。
【０００６】
いずれの例においても、デッキプレートの凸部の下面に間仕切り壁上端面が突き当たるように間仕切り壁の高さ寸法が決められる関係で、デッキプレートの凹部の下面側と間仕切り壁上端面との間に空隙が生じるため、この空隙を充填材で埋める必要は不可避になっている。
【先行技術文献】
【特許文献】
【０００７】
【特許文献１】特許第３３０６００８号公報（請求項１、段落００１２〜００１９、図１〜図７）
【特許文献２】特開２００２−３３２７０７号公報（請求項１、段落００１８〜００２９、図１〜図５）
【特許文献３】特許第５５３０２１０号公報（請求項１、段落００３０〜００３３、図１〜図４）
【発明の概要】
【発明が解決しようとする課題】
【０００８】
このようにデッキプレートと間仕切り壁との間に空隙が生じることは、デッキプレートの凹部と凸部の側面が鉛直面に対して傾斜し、台形状に形成されている凸部と凹部の形状が単純ではないこと、または捨て型枠として使用される全デッキプレートの凹部と凸部の幅が統一されていないことに起因していると考えられる。凸部と凹部が、これ自体に曲げ剛性を増すために、部分的に波形の形状に形成されていることも関係する可能性がある。
【０００９】
本発明は上記背景より、デッキプレート下面と間仕切り壁上端面との間に空隙を形成せず、耐火性の充填材の充填を要しないデッキプレートと耐火間仕切り壁の取合い構造を提案するものである。
【課題を解決するための手段】
【００１０】
請求項１に記載のデッキプレートと耐火間仕切り壁の取合い構造は、上面側にコンクリートが打設されてスラブを構成するデッキプレートと、このデッキプレートの下に配置される耐火間仕切り壁との取合い構造であり、
前記デッキプレートの下面側へ凸となった凸部と下面側へ凹となった凹部が前記耐火間仕切り壁の全幅に亘って交互に形成され、前記凸部が、水平面をなす水平片とその幅方向両側から鉛直面をなして起立する起立片からなり、前記凹部が、水平面をなす水平片とその幅方向両側から鉛直面をなして垂下し、前記起立片に連続する垂下片からなり、前記耐火間仕切り壁の上部が前記デッキプレートの前記凸部の前記水平片と前記起立片、及び前記凹部の前記水平片と前記垂下片に沿った立面形状をしていることを構成要件とする。
【００１１】
デッキプレート１の凸部１１と凹部１２は便宜的に、図１−（ａ）に示すように凸部１１の水平面をなす水平片１１ａと、凹部１２の水平面をなす水平片１２ａの中間位置（レベル）の水平面（基準面ｃ）から見たときの相対的な部位を指し、凸部１１は基準面ｃから下側へ突出した部分を指し、凹部１２は基準面ｃから上側へ凹んだ部分を指す。本発明のデッキプレート１はスラブ４を構成するコンクリート３打設時の捨て型枠として使用される場合と、デッキプレート１自身の強度が完成するスラブ４の耐力に加算される場合がある。
【００１２】
「水平片１１ａ、１２ａ」は凸部１１と凹部１２の水平面をなす板要素のことを言い、「水平面をなす水平片１１ａ、１２ａ」とは、凸部１１と凹部１２の水平片１１ａ、１２ａの内、少なくとも耐火間仕切り壁５側の面（表面）が水平面であることを意味する。「起立片１１ｂ」は凸部１１の鉛直面をなす板要素のことを言い、「鉛直面をなして」とは、起立片１１ｂの内、少なくとも耐火間仕切り壁５側の面（表面）が鉛直面であることを意味する。「少なくとも表面」とは、デッキプレート１の各片の背面（コンクリート３）側の面が水平面や鉛直面であるか否かを問わない趣旨である。
【００１３】
同様に「垂下片１２ｂ」は凹部１２の鉛直面をなす板要素のことを言い、「鉛直面をなして」とは、垂下片１２ｂの内、少なくとも耐火間仕切り壁５側の面（表面）が鉛直面であることを意味する。「垂下片１２ｂが起立片１１ｂに連続する」とは、垂下片１２ｂの耐火間仕切り壁５側の面（表面）と起立片１１ｂの耐火間仕切り壁５側の面（表面）が連続した平面をなすことを言い、垂下片１２ｂの表面と起立片１１ｂの表面に明確な境界はない。
【００１４】
凸部１１の水平片１１ａの耐火間仕切り壁５側の面（表面）が水平面をなし、水平片１１ａの幅方向両側から起立する起立片１１ｂの耐火間仕切り壁５側の面（表面）が鉛直面をなすことで、凸部１１の水平片１１ａの表面と起立片１１ｂの表面は直交した状態にあり、水平片１１ａの表面と起立片１１ｂの表面は連続した屈曲面になる。
【００１５】
また凹部１２の水平片１２ａの耐火間仕切り壁５側の面（表面）が水平面をなし、水平片１２ａの幅方向両側から垂下する垂下片１２ｂの耐火間仕切り壁５側の面（表面）が鉛直面をなすことで、凹部１２の水平片１２ａの表面と垂下片１２ｂの表面も直交した状態にあり、水平片１２ａの表面と垂下片１２ｂの表面は連続した屈曲面になる。連続した屈曲面は凸部１１と凹部１２を軸方向に見たときには連続して屈曲した線になる。この点で、本発明のデッキプレート１の凸部１１と凹部１２の形状は特開平８−３３８５６９号公報に記載のデッキプレートの形状と相違する。
【００１６】
デッキプレート１の凸部１１と凹部１２が耐火間仕切り壁５の全幅に亘って交互に形成されることで、１枚のデッキプレート１が耐火間仕切り壁５の全幅の区間で、図１−（ａ）、（ｂ）に示すように連続して高さ方向に突き合わせられる。
【００１７】
また凸部１１の水平片１１ａの表面と起立片１１ｂの表面が直交し、凹部１２の水平片１２ａの表面と垂下片１２ｂの表面も直交することで、デッキプレート１の耐火間仕切り壁５側の形状に規則性を持たせることができるため、耐火間仕切り壁５の上部を図１−（ａ）に示すようにデッキプレート１の耐火間仕切り壁５側の形状に沿って切断加工し易くなる。
【００１８】
耐火間仕切り壁５は上部が切断されて使用状態になるため、耐火間仕切り壁５には硅酸カルシウム板、ＡＬＣ版、石膏ボードその他の切断可能な耐火性のある版が使用される。デッキプレート１の耐火間仕切り壁５側の形状は凸部１１と凹部１２が交互に配列するが、必ずしも凸部１１の水平片１１ａの幅と凹部１２の水平片１２ａの幅が同一である必要も、一定である必要もない。
【００１９】
耐火間仕切り壁５の上部はデッキプレート１の耐火間仕切り壁５側の形状に沿って切断加工されることで、デッキプレート１の凸部１１の水平片１１ａと起立片１１ｂ、及び凹部１２の水平片１２ａと垂下片１２ｂに沿った立面形状に形成され、耐火間仕切り壁５の上部を完全に、またはほぼ完全にデッキプレート１の耐火間仕切り壁５側の面に接触した状態にすることが可能になる（請求項２）。
【００２０】
この場合、詳しくは耐火間仕切り壁５の上部にはその幅方向（面内水平方向）に、デッキプレート１側へ凸となった凸部５１と凹となった凹部５２が交互に形成され、凸部５１の上面５１ａと凹部５２の上面５２ａはそれぞれデッキプレート１の凹部１２の水平片１２ａと凸部１１の水平片１１ａに下面側から接触し、凸部５１の上面５１ａの幅方向両側の側面５１ｂと凹部５２の上面５２ａの幅方向両側の側面５２ｂ、５２ｂはそれぞれデッキプレート１の起立片１１ｂと垂下片１２ｂの表面に側面側から接触する。この場合も、図１−（ａ）に示すように耐火間仕切り壁５の凸部５１の上面５１ａと凹部５２の上面５２ａの中間位置（レベル）の水平面（基準面ｄ）から見たときに、凸部５１は基準面ｄから上側へ突出した部分を指し、凹部５２は基準面ｄから下側へ凹んだ部分を指す。
【００２１】
耐火間仕切り壁５のデッキプレート１側の面がデッキプレート１の耐火間仕切り壁５側の面に全体として面で接触する上では、それぞれの面が完全な平坦面である必要は必ずしもなく、水平片１１ａ、１２ａや起立片１１ｂ、垂下片１２ｂの各表面での相対的に小さい凹凸がそれぞれの面に存在することは許容される。
【００２２】
これに対し、特にデッキプレート１の凸部１１の水平片１１ａ及び起立片１１ｂの耐火間仕切り壁５側の面（表面）と、凹部１２の水平片１２ａ及び垂下片１２ｂの耐火間仕切り壁５側の面（表面）がいずれも平坦面である場合（請求項３）には、耐火間仕切り壁５の凸部５１の上面５１ａ及び凹部５２の上面５２ａの、デッキプレート１の凹部１２の水平片１２ａ及び凸部１１の水平片１１ａへの密着状態と、耐火間仕切り壁５の凸部５１の上面５１ａの幅方向両側の側面５１ｂ及び凹部５２の上面５２ａの幅方向両側の側面５２ｂの、デッキプレート１の起立片１１ｂ及び垂下片１２ｂへの密着状態が高まる。この結果、デッキプレート１と耐火間仕切り壁５との間の空隙が極力、小さくなる。
【００２３】
この場合、耐火間仕切り壁５のデッキプレート１側の面（表面）を完全に、またはほぼ完全にデッキプレート１の耐火間仕切り壁５側の面（表面）に接触した状態にすることができることで、デッキプレート１と耐火間仕切り壁５との間への空隙の発生が実質的になくなるため、空隙の発生に伴う耐火性充填材の充填の必要性がなくなるか、低下する。結果として充填材の充填作業が簡易で済むため、充填材分のコストの削減と作業効率の向上が図られる。
【発明の効果】
【００２４】
デッキプレートの凸部と凹部を耐火間仕切り壁の全幅に亘って交互に形成し、凸部の起立片を凸部の水平片と直交させ、凹部の水平片とも直交させると共に、耐火間仕切り壁の上部をデッキプレートの凸部の水平片と起立片、及び凹部の水平片と垂下片に沿った立面形状に形成するため、耐火間仕切り壁の上部を完全に、またはほぼ完全にデッキプレートの耐火間仕切り壁側の面に接触した状態にすることができる。
【００２５】
結果としてデッキプレートと耐火間仕切り壁との間への空隙の発生が実質的になくなり、空隙の発生に伴う耐火性充填材の充填の必要性がなくなるか、低下するため、充填材の充填作業が簡易で済む結果、充填材分のコストの削減と作業効率の向上が図られる。
【図面の簡単な説明】
【００２６】
【図１】（ａ）はデッキプレートの下面側の面と耐火間仕切り壁の上端面との突き合わせ前の状態を示した立面図、（ｂ）は突き合わせ後の状態を示した立面図である。
【図２】捨て型枠としてリブ付きのフラットデッキを使用した場合の従来の捨て型枠スラブを示した縦断面図である。
【発明を実施するための形態】
【００２７】
図１−（ａ）は上面側にコンクリート３が打設されてスラブ４を構成するデッキプレート１と、デッキプレート１の下に配置される耐火間仕切り壁５との突き合わせ前の様子を、（ｂ）は突き合わせ後の様子を示す。
【００２８】
デッキプレート１の下面（耐火間仕切り壁５）側へ凸となった凸部１１と下面側へ凹となった凹部１２は耐火間仕切り壁５の全幅に亘って交互に形成され、凸部１１は水平面をなす水平片１１ａとその幅方向両側から鉛直面をなして起立する起立片１１ｂ、１１ｂからなる。「耐火間仕切り壁５の全幅」は耐火間仕切り壁５の面内水平方向両端間の距離を指す。
【００２９】
凹部１２は水平面をなす水平片１２ａとその幅方向両側から鉛直面をなして垂下し、起立片１１ｂ、１１ｂに連続する垂下片１２ｂ、１２ｂからなる。「垂下片１２ｂが起立片１１ｂに連続する」とは、両者の耐火間仕切り壁５側の面（表面）が全体として連続した平面をなすことを言う。「全体として」とは、デッキプレート１の各表面に細かい凹凸がある場合を含む趣旨である。以下、デッキプレート１の耐火間仕切り壁５側の面をデッキプレート１の表面と言う。
【００３０】
デッキプレート１の凸部１１は図１−（ａ）に示すように凸部１１の水平面をなす水平片１１ａと凹部１２の水平面をなす水平片１２ａの中間位置（中間レベル）の水平面（基準面ｃ）から見たときに基準面ｃから下側へ突出した部分を指し、凹部１２は基準面ｃから上側へ凹んだ部分を指す。この関係で、基本的にはデッキプレート１の凸部１１の起立片１１ｂは基準面ｃより下の区間を指し、凹部１２の垂下片１２ｂは基準面ｃより上の区間を指すが、起立片１１ｂと垂下片１２ｂの耐火間仕切り壁５側の表面は連続した平面をなすため、実質的に起立片１１ｂと垂下片１２ｂに境界はない。
【００３１】
凸部１１の起立片１１ｂは水平片１１ａの幅方向両側から鉛直面をなして起立することで、起立片１１ｂの少なくとも表面は水平片１１ａの表面とは互いに直交している。同様に垂下片１２ｂの少なくとも表面は水平片１２ａの表面とは互いに直交している。起立片１１ｂと垂下片１２ｂの表面は連続した平面をなすため、起立片１１ｂの表面は水平片１２ａの表面とも直交し、垂下片１２ｂの表面は水平片１１ａの表面とも直交する。
【００３２】
デッキプレート１は凸部１１の水平片１１ａと起立片１１ｂ、１１ｂ、及び凹部１２の水平片１２ａと垂下片１２ｂ、１２ｂの耐火間仕切り壁５側の面である表面において耐火間仕切り壁５に全体的に接触する。「全体的に」とは、細部において互いに接触しない部分があることを含むことを言う。
【００３３】
耐火間仕切り壁５の上面（デッキプレート１）側へ凸となった凸部５１は図１−（ａ）に示すように凸部５１の水平面をなす上面５１ａと凹部５２の水平面をなす上面５２ａの中間位置（中間レベル）の水平面（基準面ｄ）から見たときに基準面ｄから上側へ突出した部分を指し、上面側へ凹となった凹部５２は基準面ｄから下側へ凹んだ部分を指す。
【００３４】
耐火間仕切り壁５の上部は図１−（ａ）に示すようにデッキプレート１の凸部１１の水平片１１ａと起立片１１ｂ、及び凹部１２の水平片１２ａと垂下片１２ｂに沿った立面形状をする。凸部５１と凹部５２は耐火間仕切り壁５自身の幅方向に交互に配列した形状に形成され、凸部５１と凹部５２のデッキプレート１側の面（表面）がデッキプレート１の凸部１１と凹部１２の表面に全体的に接触する。以下、耐火間仕切り壁５のデッキプレート１側の面を耐火間仕切り壁５の表面と言う。
【００３５】
具体的には耐火間仕切り壁５の凸部５１の上面５１ａと凹部５２の上面５２ａはそれぞれデッキプレート１の凹部１２の水平片１２ａと凸部１１の水平片１１ａに下面側（表面側）から接触する。凸部５１の上面５１ａの幅方向両側の側面５１ｂ、５１ｂと凹部５２の上面５２ａの幅方向両側の側面５２ｂ、５２ｂはデッキプレート１の起立片１１ｂと垂下片１２ｂに側面側（表面側）から接触する。耐火間仕切り壁５の表面の、デッキプレート１の表面への接触状態は、デッキプレート１の凸部１１の水平片１１ａ及び起立片１１ｂの表面と、凹部１２の水平片１２ａ及び垂下片１２ｂの表面のいずれもが平坦面である場合に最も高まり、互いの接触面積が最大になる。互いの接触圧力を高めることも可能になる。
【００３６】
上記のように凸部５１の側面５１ｂは基準面ｄより上の区間を指し、凹部５２の側面５２ｂは基準面ｄより下の区間を指すが、側面５１ｂと側面５２ｂはそれぞれが接触するデッキプレート１の垂下片１２ｂと起立片１１ｂの関係と同じく連続した平面をなすため、実質的に側面５１ｂと側面５２ｂに境界はない。
【００３７】
また耐火間仕切り壁５の表面がデッキプレート１の表面に全体的に接触することから、凸部５１の上面５１ａと側面５１ｂは互いに直交し、凹部５２の上面５２ａと側面５２ｂも互いに直交する。側面５１ｂと側面５２ｂは連続するため、上面５１ａは側面５２ｂとも直交し、上面５２ａは側面５１ｂとも直交する。
【００３８】
耐火間仕切り壁５は実際には図１−（ａ）に示すように下階の床面６上に設置され、その上部上にデッキプレート１が落とし込まれることにより（ｂ）に示すようにデッキプレート１の表面が耐火間仕切り壁５の表面に接触、または密着した状態になる。
【００３９】
耐火間仕切り壁５はその幅方向両側に位置する柱７、７間、または耐火間仕切り壁５の厚さ方向に架設された梁８、８間に配置され、デッキプレート１は耐火間仕切り壁５の上部上に載置されながら、梁８の上面（天端面）上に載置され、溶接やボルト等により固定される。デッキプレート１の凸部１１と凹部１２の軸方向両側はその側において耐火間仕切り壁５の幅方向に架設された図示しない梁に載置され、固定される。
【００４０】
耐火間仕切り壁５上に載置され、梁８、８に固定されたデッキプレート１上には溶接金網等、２方向を向いた鉄筋２が配筋され、コンクリート３が打設されることによりスラブ４が形成される。
【符号の説明】
【００４１】
１……デッキプレート、１１……凸部、１１ａ……水平片、１１ｂ……起立片、１２……凹部、１２ａ……水平片、１２ｂ……垂下片、ｃ……凸部と凹部の基準面、
２……鉄筋、
３……コンクリート、
４……スラブ、
５……耐火間仕切り壁、５１……凸部、５１ａ……上面、５１ｂ……側面、５２……凹部、５２ａ……上面、５２ｂ……側面、ｄ……凸部と凹部の基準面、
６……床面、７……柱、８……梁。
【図１】
2018168560.tif 000003
【図２】
2018168560.tif 000004